(57)【要約】      （修正有）【課題】遺骨の一部や身体離脱物、遺品を収納する機能と、日常のインテリア装飾品としての機能とを兼ね備え、リビング等に配置して日常的に墓参が可能な供養造形物を提供する。【解決手段】供養造形物１００は、内部が視認可能な透光性を有する材料により立体形状に成形された造形物１０と、造形物を載置するための台座２０と、台座の一部に形成された遺物収納部３０と、を備え、造形物には装飾加工が施されている。遺物収納部には、カプセル５０内に収容した遺物が収納され、造形物には、カプセルの一部を挿通させるための挿通孔が形成されていることが好ましい。【選択図】図１
0003217283.tif 000002
【実用新案登録請求の範囲】
【請求項１】
内部が視認可能な透光性を有する材料により立体形状に成形された造形物と、
前記造形物を載置するための台座と、
前記台座の一部に形成された収納部と、
を備え、
前記造形物には装飾加工が施されていることを特徴とする供養造形物。
【請求項２】
前記収納部には、カプセル内に収容した遺骨の一部や身体離脱物、遺品が収納され、
前記造形物には、前記カプセルの一部を挿通させるための挿通孔が形成されている、請求項１に記載の供養造形物。
【請求項３】
内部が視認可能な透光性を有する材料により立体形状に成形された造形物と、
前記造形物の一部に形成された収納部と、
前記遺物収納部の開口部を閉塞するための封止部材と、
を備え、
前記収納部には、遺骨の一部や身体離脱物、遺品が収納され、
前記造形物には装飾加工が施されていることを特徴とする供養造形物。
【請求項４】
前記造形物の成形時に、該造形物内に装飾片とともに遺骨粒体が混合封入される、請求項３に記載の供養造形物。
【請求項５】
前記遺骨粒体は着色されて混合封入される、請求項４に記載の供養造形物。
【請求項６】
陳列ケース内に、単一もしくは複数の造形物が収納配置される、請求項１から５のいずれか１項に記載の供養造形物。
【請求項７】
前記造形物の外径は、５０以上１２０ｍｍ以下に形成されている、請求項１から６のいずれか１項に記載の休養造形物。
【考案の詳細な説明】
【技術分野】
【０００１】
本考案は、遺骨の一部や身体離脱物、遺品を収納する機能と、日常のインテリア装飾品としての機能とを兼ね備えた供養造形物に関する。
【背景技術】
【０００２】
近年、都市部では墓地用地の供給不足により、墓の価格が高騰しており、居住地から離れた地域に墓を所有せざるを得ない。また、都市部へ人口が集中する結果、先祖代々の墓が遠方の郷里に存在する場合がある。墓が遠方に存在すると、時間的、経済的、健康的な理由でお墓参りに出向くことができない。そのため、新規に墓の所有を希望する者は、居住地に近く、墓参が容易な墓を欲している。
【０００３】
例え、既に墓を所有していても、少子化の問題で後継ぎが存在しない場合があり、子孫が途絶える前に墓仕舞いせざるを得ず、墓仕舞い費用にも高額な資金を要する。
【０００４】
そこで、仏壇や位牌に遺骨の一部や遺品（遺髪や遺歯など）を収納して、自宅で墓参が可能な仏具が種々創案されている。
【０００５】
遺骨等を収容可能な仏壇に関連する技術としては、例えば、仏壇本体構造の一部位に、遺骨、遺品等を収納する角形、或いは水平回転も可能な円形又は多角形からなる、安置室を設けた墓兼仏壇が提案されている（特許文献１参照）。
【０００６】
また、遺骨等を収納可能な位牌に関連する技術としては、例えば、位牌の内部に、分骨した遺骨を納めることができるようにした部位を設けた位牌が提案されている（特許文献２参照）。
【先行技術文献】
【特許文献】
【０００７】
【特許文献１】特開２００４−１０５７０１号公報
【特許文献２】特開２００９−２１９８４９号公報
【考案の概要】
【考案が解決しようとする課題】
【０００８】
ところで、特許文献１および特許文献２の技術によれば、遺骨の一部や遺品を仏壇や位牌内に収納するため、仏具としての概念を逸脱しえない。しかしながら、マンション等の集合住宅などの限られた居住環境において、仏具を設置するための専用の仏間を設けることは困難となりつつある。
【０００９】
また、仏壇や位牌は仏具であるため、仏教的な要素が濃く、仏教以外の様々な宗教に対応することができない。
【００１０】
さらに、兄弟が分骨して個々に仏壇や位牌を所有するということは比較的少ない。したがって、兄弟のうちの一人が仏壇や位牌を承継し、その者が他の兄弟から遠方に居住する場合には、他の兄弟は時間的、経済的、健康的な理由により墓参の労を余儀なくされる。
【００１１】
加えて、人生の終わりを迎えるための活動、いわゆる「終活」において、手元供養可能な造形物を準備しておきたい場合がある。
【００１２】
本考案の第１の目的は、上記の事情に鑑みて、遺骨の一部や身体離脱物、遺品を収納する機能と、日常のインテリア装飾品としての機能とを兼ね備え、リビング等に配置して日常的に墓参が可能な供養造形物を提供することにある。
【００１３】
また、本考案の第２の目的は、様々な宗教に対応可能であり、兄弟の一人一人が個々に分骨所有して日常的に墓参が可能な供養造形物を提供することにある。
【００１４】
さらに、本考案の第３の目的は、終活時において、手元供養可能な供養造形物を準備しておくことにある。
【課題を解決するための手段】
【００１５】
上記目的を達成するための本考案に係る第１の供養造形物は、内部が視認可能な透光性を有する材料により立体形状に成形された造形物と、前記造形物を載置するための台座と、前記台座の一部に形成された収納部と、を備え、前記造形物には装飾加工が施されていることを特徴とする。
【００１６】
第１の供養造形物の構成によれば、台座の一部に、収納部が形成されている。当該収納部内には、遺骨の一部や身体離脱物、遺品が収納される。台座上には、立体形状に成形された造形物が載置される。造形物は、内部が視認可能な透光性を有する材料により立体形状に成形されている。この造形物には、インテリア装飾品として適した装飾美を有するように、装飾加工が施されている。したがって、第１の供養造形物は、遺骨の一部や身体離脱物、遺品を収納する機能と、日常のインテリア装飾品としての機能とを兼ね備えている。
【００１７】
第１の供養造形物において、前記収納部には、カプセル内に収容した遺骨の一部や身体離脱物、遺品が収納され、前記造形物には、前記カプセルの一部を挿通させるための挿通孔が形成されていることが好ましい。
【００１８】
本考案に係る第２の供養造形物は、内部が視認可能な透光性を有する材料により成形された造形物と、前記造形物の一部に形成された収納部と、前記収納部の開口部を閉塞するための封止部材と、を備え、前記収納部には、遺骨の一部や身体離脱物、遺品が収納され、前記造形物には装飾加工が施されていることを特徴とする。
【００１９】
本考案に係る第３の供養造形物は、内部が視認可能な透光性を有する材料により成形された造形物と、前記造形物の成形時に、該造形物内に装飾片とともに遺骨粒体が混合封入されることを特徴とする。
【００２０】
第３の供養造形物において、前記遺骨粒体は着色されて混合封入されることが好ましい。
【００２１】
陳列ケース内に、単一もしくは複数の造形物を収納配置してもよい。
【００２２】
前記造形物の外径は、５０以上１２０ｍｍ以下に形成されていることが好ましい。
【考案の効果】
【００２３】
本考案に係る供養造形物によれば、遺骨の一部や身体離脱物、遺品を収納する機能と、日常のインテリア装飾品としての機能とを兼ね備え、リビング等に配置して日常的に墓参が可能である。また、本考案に係る供養造形物によれば、様々な宗教に対応可能であり、兄弟の一人一人が個々に分骨所有して日常的に墓参が可能である。さらに、本考案に係る供養造形物によれば、終活時において、手元供養可能な供養造形物を準備できる。
【図面の簡単な説明】
【００２４】
【図１】第１の実施形態に係る供養造形物の斜視図である。
【図２】第１の実施形態における台座の斜視図である。
【図３】第１の実施形態における造形物を底部側から観た斜視図である。
【図４】第２の実施形態に係る供養造形物の斜視図である。
【図５】第２の実施形態に係る供養造形物の分解斜視図である。
【図６】第２の実施形態に係る供養造形物の変形例の斜視図である。
【図７】第３の実施形態に係る供養造形物の斜視図である。
【図８】第４の実施形態に係る供養造形物の斜視図である。
【考案を実施するための形態】
【００２５】
以下、図面を参照して、第１から第４の実施形態に係る供養造形物について説明する。図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
〔第１の実施形態〕
［供養造形物の構成］
【００２６】
まず、図１から図３を参照して、第１の実施形態に係る供養造形物１００の構成について説明する。図１は第１の実施形態に係る供養造形物の斜視図である。図２は第１の実施形態における台座の斜視図である。図３は第１の実施形態における造形物を底部側から観た斜視図である。
【００２７】
図１に示すように、第１の実施形態に係る供養造形物１００は、概ね、造形物１０、台座２０、および収納部（遺物収納部）３０を備えている。以下、各構成要素ごとに説明する。
【００２８】
図１に例示した造形物１０は、球体状の外観を呈している。造形物１０の外観は、例示の形状に限定されず、例えば、ドーム形状や多角錐形状、山形状、円柱状、多角柱状、樽状などの他、りんごや洋梨、瓢箪などの果実の形状、鳥や犬、猫などの小動物の形状を模した様々な立体的な形状に形成してもよい。造形物１０は、インテリア装飾品として適した装飾美を有する立体形状に成形することが好ましい。
【００２９】
造形物１０は、当該造形物１０の内部が視認可能な透光性を有する材料により立体形状に成形されている。透光性を有し、造形物１０として成形可能な材料としては、例えば、適当な温度に 加熱すると軟化して可塑性をもち、冷却すると固化する性質を有するガラスや熱可塑性樹脂などが挙げられる。本実施形態の造形物１０は、中空体に成形されているが、これに限定されず、中実体であっても構わない。また、造形物１０は、内部が視認可能であればよく、無色透明であるか、有色透明であるかを問わない。さらに、造形物１０は、単一色のみならず、複数の色素を混入して虹色等の混合色の成形体として成形されていてもよい。
【００３０】
造形物１０には、インテリア装飾品として適した装飾美を有するように、装飾加工が施されている。装飾加工としては、造形物１０の成形時に、当該造形物１０内に装飾片４０を封入してもよい。装飾片４０としては、例えば、金や銀等の貴金属、着色金属、着色耐熱材などの片状体や粉体、流体、線状体、螺旋状体などが挙げられる。また、装飾加工としては、造形物１０の成形の後に、当該造形物１０を着色したり、当該造形物１０の表面に金箔４１等の金属箔を貼付してもよい。さらに、装飾加工としては、当該造形物１０の表面に彫刻を施して、造形物１０の装飾美を向上させてもよい。
【００３１】
図２に示すように、台座２０は、造形物１０を載置するための部材である。本実施形態の台座２０は、加工の容易な木材により異形円柱状に形成されている。台座２０の材質は、木材に限定されず、合成樹脂や石材、金属などの他の材質で形成しても構わない。本実施形態の造形物１０は球体状の外観を呈しているので、球体状の造形物１０の台座２０上での座りを良くするため、台座２０の載置部２１は器状の凹部として形成されている。
【００３２】
収納部３０は、台座２０の一部に形成されている。本実施形態の収納部３０は、台座２０の載置部（上部）２１の中心部に形成されているが、収納部３０の形成部位は限定されない。収納部３０は、例えば、中空円柱状の孔によって形成されているが、孔形状は限定されない。
【００３３】
収納部３０内には、遺骨の一部や身体離脱物、遺品（図示せず）が収納される。遺骨は分骨され、その一部が収納部３０内に収納される。遺骨は、取り扱いやすくするため、粉砕処理することが好ましく、着色することも考えられる。身体離脱物としては、例えば、生前に身体から採取した髪や爪、歯などが挙げられる。遺品としては、例えば、死後に採取した遺髪や歯、爪などが挙げられる。また、遺品として、故人が生前使用していた指輪等のアクセサリー、時計、写真、煙草などの愛用品を収納してもよい。遺骨の一部や身体離脱物、遺品は、カプセル５０内に収容して収納部３０内に収納してもよく、カプセル５０を使用しないで直接収納しても構わない。
【００３４】
本実施形態では、遺骨を粉砕処理した後カプセル５０内に収容して、当該カプセル５０が収納部３０内に収納される。カプセル５０の長さは、収納部３０の深さよりも長く設定されている。したがって、収納部３０内にカプセル５０を収納すると、当該カプセル５０の上端部が収納部３０から突出するようになっている（図２参照）。
【００３５】
図３に示すように、本実施形態の造形物１０の底部には、カプセル５０の一部を挿通させるための挿通孔１１が形成されている。造形物１０の底部に挿通孔１１を形成することにより、カプセル５０の上端部が挿通孔１１を介して造形物１０を支え、造形物１０が台座２０から離脱落下するのを防止している。造形物１０の底部の挿通孔１１の周囲には、台座２０上での造形物１０の座りを良くするための平面部１２が形成されている。なお、造形物１０の挿通孔１１はオプショナルな構成要素であり、カプセル５０の長さが収納部３０の深さよりも短く設定されている場合には必ずしも形成することを要しない。
【００３６】
造形物は、例えば、掌サイズの大きさに形成されていることが好ましい。造形物を掌サイズに造形するのは、リビング等にインテリア装飾品として供養造形物を配置するのに適した大きさだからである。具体的には、造形物の外径が５０以上１２０ｍｍ以下に形成されていることが好ましい。
［供養造形物の作用］
【００３７】
次に、図１から図３を参照して、第１の実施形態に係る供養造形物１００の作用について説明する。
【００３８】
図１から図３に示したように、第１の実施形態に係る供養造形物１００は、台座２０の一部には、収納部３０が形成されている。当該収納部３０内には、遺骨の一部や身体離脱物、遺品が収納される。他方、台座２０上には、立体形状に成形された造形物１０が載置される。造形物１０は、内部が視認可能な透光性を有する材料により立体形状に成形されている。この造形物１０には、インテリア装飾品として適した装飾美を有するように、装飾加工が施されている。したがって、第１の実施形態に係る供養造形物１００は、遺骨の一部や身体離脱物、遺品を収納する機能と、日常のインテリア装飾品としての機能とを兼ね備えている。
【００３９】
以上説明したように、第１の実施形態に係る供養造形物１００によれば、遺骨の一部や身体離脱物、遺品を収納する機能と、日常のインテリア装飾品としての機能とを兼ね備えているので、リビング等にインテリア装飾品として配置して、命日や盆等の仏事に限らず、日常的に墓参することが可能である。
【００４０】
また、第１の実施形態に係る供養造形物１００は、装飾美を備えた外観を有する造形物１０により形成されているので、仏壇や位牌、仏像などの仏具としての要素が薄く、様々な宗教に対応可能である。
【００４１】
さらに、第１の実施形態に係る供養造形物１００は、遺骨を分骨して兄弟の一人一人が個々に手元所有することができ、日常的に墓参することが可能である。
【００４２】
加えて、人生の終わりを迎える前に、予め髪や爪、歯などの身体離脱物を造形物内に収納するようにすれば、手元供養可能な造形物を準備しておくことができる。
〔第２の実施形態〕
【００４３】
次に、図４を参照して、第２の実施形態に係る供養造形物２００の構成について説明する。図４は、第２の実施形態に係る供養造形物の斜視図である。図５は第２の実施形態に係る供養造形物の分解斜視図である。
【００４４】
図４に示すように、第２の実施形態では、造形物１０自体に収納部２３０が形成されている点が第１の実施形態と異なる。なお、第１の実施形態と同一の構成要素については、同一の符号を付して説明する。
【００４５】
図４に例示した造形物１０は、中実体により形成され、ドーム形状の外観を呈している。造形物１０の外観は、第１の実施形態と同様に例示の形状に限定されず、インテリア装飾品として適した装飾美を有する立体形状に成形することが好ましい。造形物１０の材質は、第１の実施形態で例示したものと同様の材質を採用する。造形物１０には、インテリア装飾品として適した装飾美を向上させるため、第１の実施形態と同様に装飾加工が施されている。例えば、造形物１０の成形時に、当該造形物１０内に装飾片４０が封入されている。
【００４６】
収納部２３０は、造形物１０の一部に形成されている。本実施形態の収納部２３０は、造形物１０の底部に形成されているが、例えば、造形物１０の上部に形成してもよく、形成位置は限定されない。収納部２３０は、例えば、中空円柱状の孔によって形成されているが、孔形状は限定されない。
【００４７】
収納部２３０内には、遺骨の一部や遺品（図示せず）が収納される。遺骨の一部や身体離脱物、遺品は、収納部２３０内に直接収納してもよく、図５に示すように、カプセル５０内に封入して収納しても構わない。収納部２３０内に遺骨の一部を直接収納する場合には、例えば、遺骨を供養した後に粉砕処理して着色することが考えられる。
【００４８】
図５に示すように、収納部２３０の開口部２３１は、円板状の封止部材２６０によって閉塞される。封止部材２６０は、収納部２３０の開口部２３１の形状に合わせて形成される。封止部材２６０は、収納部２３０の開口部２３１を閉塞すればよく、形状は限定されない。封止部材２６０は、収納部２３０内に遺骨の一部や身体離脱物、遺品を収納した後、当該収納部２３０の開口部２３１に埋め殺し装着してもよく、着脱可能に装着してもよい。
【００４９】
図６は、第２の実施形態に係る供養造形物の変形例の斜視図である。図６に示すように、変形例の供養造形物２００は、遺骨の一部や身体離脱物、遺品を収納するための収容部２３０が、例えば、洋梨形状の造形物１０の上部に形成されている。収納部２３０の開口部２３１は、上方から封止部材２６０によって閉塞される。封止部材２６０は、収納部２３０の開口部２３１を閉塞すればよく、形状は限定されない。封止部材２６０は、収納部２３０内に遺骨の一部や身体離脱物、遺品を収納した後、当該収納部２３０の開口部２３１に埋め殺し装着してもよく、着脱可能に装着してもよい。
【００５０】
上述したように、造形物は掌サイズに形成されていることが好ましく、具体的には造形物の外径が５０以上１２０ｍｍ以下に形成されていることが好ましい。造形物１０の前面には、薄肉カット面２１１の加工が施されている。この薄肉カット面２１１は、造形物１０の前面肉厚を減少させて、収納部２３０の内部を視認可能とするために形成されている。
【００５１】
図４から図６に示したように、第２の実施形態に係る供養造形物２００は、造形物１０の一部に収納部２３０が形成され、当該収納部２３０内に遺骨の一部や身体離脱物、遺品が収納される。また、造形物１０は、インテリア装飾品として適した装飾美を有する立体形状に成形されている。さらに、造形物１０内には、装飾片４０等により装飾加工が施されている。したがって、第２の実施形態に係る供養造形物２００は、遺骨の一部や身体離脱物、遺品を収納する機能と、日常のインテリア装飾品としての機能とを兼ね備える。
【００５２】
以上説明したように、第２の実施形態に係る供養創造物２００は、基本的には第１の実施形態と同様の作用効果を奏する。特に、第２の実施形態に係る供養造形物２００にあっては、造形物１０の一部に収納部２３０が形成されている。この収納部２３０内に遺骨の一部や身体離脱物、遺品を収納した後、当該収納部２３０が封止部材２６０で閉塞される。したがって、第２の実施形態に係る供養造形物２００は、台座を要しないという有利な効果を奏する。なお、第２の実施形態の構成は、造形物１０を台座上に載置することを排除するものではない。
〔第３の実施形態〕
【００５３】
次に、図７を参照して、第３の実施形態に係る供養造形物３００の構成について説明する。図７は、第３の実施形態に係る供養造形物の斜視図である。
【００５４】
図７に示すように、第３の実施形態では、造形物１０の成形時に、当該造形物１０内に装飾片４０とともに遺骨粒体３４１が混合封入される点が異なり、その他は第２の実施形態と同様に構成されている。なお、第１および第２の実施形態と同一の構成要素については、同一の符号を付して説明する。
【００５５】
遺骨粒体３４１は、遺骨を供養した後に粉砕処理される。遺骨粒体３４１は、例えば、粉砕処理された後に、青色、赤色、黄色等に着色される。粉砕処理および着色された遺骨流体３４１は、造形物１０の成形時に、当該造形物１０内に装飾片４０とともに混合封入されることが好ましい。装飾片４０としては、第１の実施形態で述べたように、例えば、金や銀等の貴金属、着色金属、着色耐熱材などの片状体や粉体、流体、線状体などが挙げられる。
【００５６】
図７に示すように、第３の実施形態に係る供養造形物３００は、基本的には第１および第２の実施形態と同様の作用効果を奏する。特に、第３の実施形態に係る供養造形物３００にあっては、造形物１０の成形時に、当該造形物１０内に装飾片４０とともに遺骨粒体３４１が混合封入される。したがって、第３の実施形態によれば、必ずしも収納部の加工を要しないという有利な効果を奏する。ただし、第２の実施形態のように収納部を設けてもよく、収納部の形成を排除する趣旨ではない。
【００５７】
また、遺骨粒体３４１を青色、赤色、黄色等に着色し、造形物１０内に装飾片４０とともに混合封入する場合には、造形物１０の装飾美を向上させ、日常のインテリア装飾品としての機能を増大させることができるという有利な効果を奏する。
〔第４の実施形態〕
【００５８】
次に、図８を参照して、第４の実施形態に係る供養創造物４００の構成について説明する。図８は、第４の実施形態に係る供養創造物の斜視図である。
【００５９】
図８に示すように、第４の実施形態では、陳列ケース４７０内に、単一もしくは複数の造形物１０が収納配置されている点が、第１から第３の実施形態と異なる。なお、第１から第３の実施形態と同一の構成要素については、同一の符号を付して説明する。
【００６０】
例えば、造形物１０を一つがいのおし鳥（雄鳥４１１、雌鳥４１２）の立体形状に形成し、陳列ケース４７０内に、つがいの鳥を配置することにより、夫婦の供養造形物４００として構成することができる。また、陳列ケース４７０内に親鳥（雄鳥４１１、雌鳥４１２）と共に、ひな鳥を配置すれば、家族の供養造形物４００として構成することができる。
【００６１】
第４の実施形態に係る供養創造物４００は、基本的には第１から第３の実施形態と同様の作用効果を奏する。特に、第４の実施形態に係る供養造形物４００にあっては、陳列ケース４７０内に、複数の造形物１０を収納配置すれば、夫婦や家族の先祖供養を行うことができるという有利な効果を奏する。
〔その他の実施形態〕
【００６２】
以上、本考案の好適な実施形態を説明したが、上記実施形態は本考案の説明のための例示であり、本考案の範囲を上記実施形態にのみ限定する趣旨ではない。本考案は、その要旨を逸脱しない範囲で、上記実施形態とは異なる種々の態様で実施することができる。
【００６３】
例えば、上記の実施形態では、人の遺骨の休養を想定しているが、犬や猫などのペットの遺骨の供養に用いても構わない。ペットの場合には、収容部内に首輪やリードなどの一部を収納することが考えられる。
【００６４】
また、第１から第４の実施形態の造形物１０内にＬＥＤ等の電飾を配置しても構わない。第１から第４の実施形態の造形物１０は透光性を有するので、ＬＥＤ等の電飾により装飾美を向上させることができる。電飾は、例えば、複数の発光色や混合色で造形物１０を照らすように、発光色を変化させてもよい。
【符号の説明】
【００６５】
１０    造形物、
２０    台座、
３０，２３０    収納部、
４０    装飾片、
５０    カプセル、
１００，２００，３００，４００    供養造形物、
２３１    開口部、
２６０    封止部材、
４７０    陳列ケース。
【図１】
0003217283.tif 000003
【図２】
0003217283.tif 000004
【図３】
0003217283.tif 000005
【図４】
0003217283.tif 000006
【図５】
0003217283.tif 000007
【図６】
0003217283.tif 000008
【図７】
0003217283.tif 000009
【図８】
0003217283.tif 000010
【手続補正書】
【提出日】平成30年4月11日(2018.4.11)
【手続補正１】
【補正対象書類名】実用新案登録請求の範囲
【補正対象項目名】全文
【補正方法】変更
【補正の内容】
【実用新案登録請求の範囲】
【請求項１】
内部が視認可能な透光性を有する材料により立体形状に成形された造形物と、
前記造形物を載置するための台座と、
前記台座の一部に形成された収納部と、
を備え、
前記造形物には装飾加工が施されていることを特徴とする供養造形物。
【請求項２】
前記収納部には、カプセル内に収容した遺骨の一部や身体離脱物、遺品が収納され、
前記造形物には、前記カプセルの一部を挿通させるための挿通孔が形成されている、請求項１に記載の供養造形物。
【請求項３】
内部が視認可能な透光性を有する材料により立体形状に成形された造形物と、
前記造形物の一部に形成された収納部と、
前記収納部の開口部を閉塞するための封止部材と、
を備え、
前記収納部には、遺骨の一部や身体離脱物、遺品が収納され、
前記造形物には装飾加工が施されていることを特徴とする供養造形物。
【請求項４】
前記造形物の成形時に、該造形物内に装飾片とともに遺骨粒体が混合封入される、請求項３に記載の供養造形物。
【請求項５】
前記遺骨粒体は着色されて混合封入される、請求項４に記載の供養造形物。
【請求項６】
陳列ケース内に、単一もしくは複数の造形物が収納配置される、請求項１から５のいずれか１項に記載の供養造形物。
【請求項７】
前記造形物の外径は、５０以上１２０ｍｍ以下に形成されている、請求項１から６のいずれか１項に記載の休養造形物。